(57)【要約】【課題】冷蔵・冷凍を要する生鮮物を運搬する際、容器内を冷蔵・冷凍するための作業性を向上させることができ、また、トレーパック内の収容物もつぶれたり、痛んでしまうことがなく、さらにトレーパックの収容数に対して容器の大きさを自在に変更することができるトレーパック運搬用包装容器を提供すること。【解決手段】食品等を包装したトレーパックを収容可能な上下方向に貫通した収容部を複数設けた棚板を形成していると共に、棚板は複数段に積み重ね可能に構成し、最上段の棚板に嵌合可能な蓋体を、最下段の棚板に嵌合可能な底板をそれぞれ設けており、積層状態の棚板は互いに嵌合可能に形成され、上記棚板に対して蓋体および底板を装着することによって、運搬用包装容器として構成しており、上記棚板とトレーパックとは棚板に形成された複数のリブ状凸部を介して当接されることにより間隙が形成され、この間隙と収容部の貫通部分とを介して積層した棚板の下段方向に冷気を流通可能に構成していること。【選択図】                図１
2004250060.tif 000002
【特許請求の範囲】
【請求項１】
食品等を包装したトレーパックを収容可能な上下方向に貫通した収容部を複数設けた棚板を形成していると共に、棚板は複数段に積み重ね可能に構成し、最上段の棚板に嵌合可能な蓋体を、最下段の棚板に嵌合可能な底板をそれぞれ設けており、積層状態の棚板は互いに嵌合可能に形成され、上記棚板に対して蓋体および底板を装着することによって運搬用包装容器として構成しており、上記棚板とトレーパックとは棚板に形成された複数のリブ状凸部を介して当接されることにより間隙が形成され、この間隙と収容部の貫通部分とを介して積層した棚板の下段方向に冷気を流通可能に構成していることを特徴とするトレーパック運搬用包装容器。
【請求項２】
トレーパックは側周壁上縁に周縁リブが設けられてなり、棚板の上面に形成されたリブ状凸部とトレーパックの前記周縁リブとが当接して間隙が形成されてなる請求項１記載のトレーパック運搬用包装容器。
【請求項３】
棚板の収容部の内側面は下方が狭くなる傾斜状に形成され、前記内側面傾斜部にリブ状凸部が形成されて、この凸部とトレーパックの外側周壁とが当接可能に構成されてなる請求項１または２記載のトレーパック運搬用包装容器。
【請求項４】
蓋体の下部と棚板の上部とを嵌合可能に構成していると共に、蓋体の上部は棚板の下部と嵌合可能に構成して、蓋体の上部を利用することにより棚板に対する底板としても使用可能に構成している請求項１ないし３記載のトレーパック運搬用包装容器。
【請求項５】
蓋体の上周縁部に、バンド等の帯状部材をガイドするための凹部を対向辺に少なくとも１対設けている請求項１ないし４記載のトレーパック運搬用包装容器。
【請求項６】
棚板に形成した複数の収容部のうち、それらの一部若しくは全部を分割可能とする分割用溝を形成している請求項１ないし５記載のトレーパック運搬用包装容器。
【発明の詳細な説明】
【０００１】
【発明の属する技術分野】
この発明は、魚介類や野菜類等の生鮮品を収容したトレーにラッピングを施したトレーパックの複数を収容して運搬する包装容器に関し、特に、生鮮品の鮮度を保持するため冷蔵・冷凍状態で運搬するためのトレーパック運搬用包装容器に関する。
【０００２】
【従来の技術】
従来より、鮮魚、ちりめんじゃこ等の干物類等の魚介類や野菜類等の生鮮品の運搬に際し、鮮度を保持するため、合成樹脂発泡材料を成型して保温性を持たせた容器を構成し、この容器の収容部を予め冷蔵・冷凍した後に運搬して使用することは一般的に行われている。
このような用途に使用される包装容器としては、例えば特許文献１に示されたように、内部に複数のトレーパックを収容可能な収容部を有する箱形の容器を設けていると共に、この容器を複数段積み重ね可能としたものが開示されている。
【０００３】
この包装容器は、複数のトレーパックを整列させて収容することができるもののトレーパックの全部を一括して収容部内に収容する構成であり、これら複数のトレーパックを収容した状態の包装容器を複数段積み重ねた状態で運搬される構成となっているものである。
【０００４】
【特許文献１】
実開昭５６−８８６３１号公報
【０００５】
【発明が解決しようとする課題】
しかしながら、上記従来の包装容器においては、容器内にトレーパックを収容した状態で、内部に冷気を導入する場合には、図６に示すように、容器９１同士をずらせて下側になる容器９１上部を開放して行う必要があり、手間がかかるという欠点があった。
また、内部に冷気を導入する他の構成の容器９２として、図７に示すように、容器９２側面に冷気導入口９３が形成されたものも開示されているが、この構成の容器９２では、冷気の導入の際に、それぞれの容器に設けられた冷気導入口９３を開け、運搬時には当該冷気導入口９３を塞ぐという作業が必要であり、手間がかかると共に、容器の個数が多ければ多いほど作業性が劣るという問題点があった。
【０００６】
さらに、上記構成の容器９１では、図８および図９に示すように、生鮮品を収容したトレーパックＴが積層状態で収容されているので、トレーパックＴの上に他のトレーパックが重なり合って直接載った状態になるので、トレーパックＴ内の収納物が痛んだり、つぶれたりするという問題点もあった。
また、上記各容器９１，９２では、容器の大きさが限定されているので、トレーパックＴの数量が、収容可能な数より少ない場合には容器内に無駄なスペースができたり、必要な数のトレーパックＴが収容できないという欠点もあった。
【０００７】
そこで、この発明は、冷蔵・冷凍を要する生鮮物を運搬する際、容器内を冷蔵・冷凍するための作業性を向上させることができ、また、トレーパック内の収容物もつぶれたり、痛んでしまうことがなく、さらにトレーパックの収容数に対して容器の大きさを自在に変更することができるトレーパック運搬用包装容器を提供することを目的としている。
【０００８】
【課題を解決するための手段及び発明の効果】
上記目的を達成するため、この発明のトレーパック運搬用包装容器は、食品等を包装したトレーパックを収容可能な上下方向に貫通した収容部を複数設けた棚板を形成していると共に、棚板は複数段に積み重ね可能に構成し、最上段の棚板に嵌合可能な蓋体を、最下段の棚板に嵌合可能な底板をそれぞれ設けており、積層状態の棚板は互いに嵌合可能に形成され、上記棚板に対して蓋体および底板を装着することによって、運搬用包装容器として構成しており、上記棚板とトレーパックとは棚板に形成された複数のリブ状凸部を介して当接されることにより間隙が形成され、この間隙と収容部の貫通部分とを介して積層した棚板の下段方向に冷気を流通可能に構成していることを特徴としている。
【０００９】
この構成のトレーパック運搬用包装容器では、上下方向に貫通した棚板の収容部にトレーパックを収容することができ、この状態で棚板を複数段積み重ねることができる。複数段積み重ねた棚板に対して蓋体および底板を装着することにより、そのまま運搬用包装容器として構成することができ、包装容器を簡単に形成することができる。
また、棚板とトレーパックとは棚板に形成された複数のリブ状凸部を介して当接されることにより間隙が形成されているので、トレーパックを収容した状態であっても、この間隙と収容部の貫通部分とを通して棚板の下段方向に冷気を流通させることができる。したがって、生鮮品の鮮度を保持するための冷気を送る際、棚板を積層した状態のまま上方から冷気を送り込むだけで、棚板に収容した全てのトレーパックの周囲を冷蔵若しくは冷凍状態とすることができる。このため、従来のように、積層した容器をずらせたり、冷気導入口の開閉のための手間を要することなく容器内を最適な雰囲気とすることができる。
【００１０】
また、棚板の収容部の高さ内のトレーパックを収容することにより、上下方向のトレーパックが重なり合うのを防止することができ、トレーパック内に収容した生鮮物を好適に保護することができる。
さらに、棚板は任意の数を積層することができるので、収容するトレーパックの数に合わせて棚板を準備するだけで、トレーパックの数に応じて最適な運搬用包装容器を提供することができる。
【００１１】
この発明の請求項２に記載したトレーパック運搬用包装容器部では、トレーパックは側周壁上縁に周縁リブが設けられてなり、棚板の上面とトレーパックの前記周縁リブとの当接部分に複数のリブ状凸部が形成されてなり、また、請求項３記載の構成では、棚板の収容部の内側面は下方が狭くなる傾斜状に形成され、前記内側面傾斜部にリブ状凸部が形成されて、この凸部とトレーパックの外側周壁とが当接可能に構成されてなることを特徴としている。
【００１２】
上記何れのトレーパック運搬用包装容器においても、リブ状凸部によってトレーパックの周縁リブまたはトレーパックＴの外側周壁と収容部との間に間隙を形成することができ、この間隙を通して冷気を流通させることができ、容器内を簡単に冷蔵・冷凍状態にすることができる。
この発明の請求項４記載のトレーパック運搬用包装容器は、蓋体の下部と棚板の上部とを嵌合可能に構成していると共に、蓋体の上部は棚板の下部と嵌合可能に構成して、蓋体の上部を利用することにより棚板に対する底板としても使用可能に構成しているので、積層した棚板に対して、蓋体を嵌合させると共に、同じ構成の蓋体を使用して底板とすることができ、棚板の蓋体と底板とを兼用することができるので、容器を構成する部材として必要な棚板と、２枚の蓋体のみを準備するだけで、トレーパック運搬用包装容器を構成することができ、部材点数を減らすことができると共に、多量生産することによりコストダウンにも大きく貢献するものである。
【００１３】
この発明の請求項５記載のトレーパック運搬用包装容器は、蓋体の上周縁部に、バンド等の帯状部材をガイドするための凹部を対向辺に少なくとも１対設けているので、積層した棚板に対して、上下に蓋体を嵌合装着し、さらに、蓋体に設けた凹部を利用してバンド等の帯状部材にて棚板と蓋体とを一体化することにより、運搬用包装容器を構成することができる。また、上記帯状部材は、凹部によって位置ずれが阻止されるので、帯状部材が外れたりする虞も解消することができる。
【００１４】
この発明の請求項６記載のトレーパック運搬用包装容器は、棚板に形成した複数の収容部のうち、それらの一部若しくは全部を分割可能とする分割用溝を形成しているので、分割用溝を利用して必要な個数のトレーパックを収容した棚板に分割することが簡単にでき、運搬後の店頭展示等の際、収容部からトレーパックを取り出すことなく、必要なだけのトレーパックをそのまま陳列・展示することができる。
【００１５】
【発明の実施の形態】
次いで、この発明のトレーパック運搬用包装容器を図面を参照して説明する。図１は、この発明の実施形態の棚板を示す斜視図、図２は、上記棚板を積層してトレーパック運搬用包装容器を構成した斜視図、図３は、上記トレーパック運搬用包装容器の縦断面図、図４は、収容部とトレーパックとの当接部分の要部拡大断面図である。
【００１６】
トレーパック運搬用包装容器１は、複数のトレーパックＴを収容する棚板１０と、積層した棚板１０の上部に取付けた蓋体２０と、棚板１０の下部に取付けた底板２０’と、これらを一体にするための帯状部材としてのバンド３０とからなっている。
棚板１０は、板状体に対してトレーパックＴを収容する部分として上下方向に貫通させて形成した収容部１１を設けている。この収容部１１は、図１の例では、収容部１１を４列２行で計８個形成した例を示しており、個々の大きさはトレーパックＴの側周壁上縁に設けられている周縁リブ部ｔを支持可能に形成してあり、収容部１１の貫通部分にトレーパックＴ生鮮品収容部が入ると共に、周縁リブｔを上面Ｘに載置可能な大きさとなっている。そして、この棚板上面Ｘ部分に、適宜間隔を空けてリブ状凸部１２を形成している。この凸部１２とトレーパックＴとが当接することによって、収容部１１とトレーパックＴとの間に間隙を作ることができ、図４に示すように、この間隙を介して冷気等を下段方向に流通させることができるものである。
【００１７】
収容部１１に形成する凸部１２としては、トレーパックＴの周縁リブ部ｔとの間に間隙を形成することができれば、個数、間隔、高さ等を特に限定するものではない。
棚板１０は、上記のように８個の収容部１１を形成しており、２個ずつの構成に分割するための分割用溝１４を形成している。この分割用溝１４は、この実施形態の場合には、縦横に十字状の溝を形成しており、縦溝１４を利用することにより左右４個ずつの収容部１１に形成することができる。また横溝１４を利用して分割することにより、上下に分割して４個並びの収容部１１に分割することができる。さらに縦横の分割用溝１４を利用することにより、２個ずつ１セットとなった収容部１１を形成することができ、トレーパックＴを運搬後、陳列台等の大きさに合わせて収容部１１の個数を変更することができるもので、トレーパックＴを取り出すことなく、棚板１０に載せたままのトレーパックＴを展示することができる。
【００１８】
上記分割用溝１４としては、この実施形態では、十字状に形成した例を示しているが、収容部１１の個数によって、種々の形態に設けることができるものである。
なお、棚板１０の周囲は、複数の収容部１１を囲む形態として起立した周縁部として形成している。
そして、蓋体２０は、図２の最上段に示した形態であって、棚板１０の外形に合わせた大きさの板状体であって、この下部は、棚板１０の上部の上記周縁部に嵌合可能な段差形状としている。また蓋体２０の上部は、棚板１０下部と嵌合可能な形態として起立状の周縁部を形成しているものであり、棚板１０の下部に嵌合装着可能な底板２０’として使用できるものである。
【００１９】
蓋体２０は、上部の周縁部において、長辺側短辺側のそれぞれ対向する中央部を凹部２１として形成しており、帯状部材としてのバンド３０を上記凹部２１にガイドさせることにより、バンド３０の横ずれを防止することができるものである。上記凹部２１としては、この実施形態では、長辺側短辺側の双方に形成した例を示しているが、何れか一方のみに形成することもできる。
この実施形態のトレーパック運搬用包装容器１は、鮮魚、ちりめんじゃこ等の干物類等の魚介類を収容したトレーパックＴを棚板１０の収容部１１に収容すると共に、複数の棚板１０を積層し、底板２０’を装着して上下方向に一体化する。そして、この状態で、業務用冷蔵庫等に収容して棚板１０内に冷気を供給する。
【００２０】
この際、棚板１０に凸部１２を設けているので、トレーパックＴの周縁リブ部ｔと収容部１１との間の間隙を通して、冷気が上方から下方へ流通するので、冷気を導入するために、従来のように棚板１０をずらせたり冷気導入口を開けたりする手間を解消することができる。
次いで、冷却が完了した棚板１０の上部に蓋体２０を嵌合させた後、バンド３０にてそれらの全体を一体化することにより蓋体２０と底板２０’とを装着したトレーパック運搬用包装容器１を構成することができ、そのまま運搬することができる。このようにすることによって、トレーパックＴを収容した棚板１０を積層し蓋体２０と底板２０’とを装着するだけで運搬用包装容器を構成することができ、トレーパックＴの出し入れのための手間がかからず、さらに容器の構成としても収容するトレーパックＴの個数に合わせて自在に変化させることができるので、無駄なスペースが発生しない包装容器を提供することができる。
【００２１】
そして、トレーパックＴを取り出す際は蓋体２０を外して上側の棚板１０から順次取り出したり、棚板１０毎に分離した後、トレーパックＴを取り出すこともできる。
また、棚板１０は分割用溝１４を利用してトレーパックＴを収容した状態で棚板１０を分割することができ、陳列展示場所等のサイズに合わせて収容部１１の個数を変更することができる。
【００２２】
図５は、この発明の他の実施形態を示す要部の断面図である。
この例は、上記した周縁リブ部ｔが設けられていないトレーパックＴに対応するための構成を示しており、棚板１０の収容部１１は、収容部１１の内壁１５を収容部上部側がより広くなるよう傾斜状に形成させており、トレーパックＴの外側周壁ｒと上記内壁１５に設けたリブ状凸部１６とを当接させる場合の例を示している。トレーパックＴとの間に間隙を設けるための凸部は、内壁１５に設けたリブ状の凸部１６にて構成しており、前述の実施形態に比べて、トレーパックＴの周縁リブｔを当接させるか、トレーパックＴの周壁外側ｒを当接させるかの相違だけである。この例においても、トレーパックＴと収容部１１との間には冷気を流通させる間隙を設けることができ、この間隙を介して積層した棚板１０の下段方向に冷気を流通させることができるものである。
【００２３】
なお、棚板１０の高さＨとしては、収容するトレーパックＴの高さｈに対して棚板１０の高さＨを大きくしておくことにより、上下のトレーパックＴ間に充分な間隙を確保しておくことができると共に、トレーパックＴ同士が圧接してトレーパックＴ内に収容した生鮮物をつぶしたり傷つけたりする虞を解消することができる。
【図面の簡単な説明】
【図１】この発明の実施形態の棚板を示す斜視図である。
【図２】棚板を積層してトレーパック運搬用包装容器を構成した斜視図である。
【図３】トレーパック運搬用包装容器の縦断面図である。
【図４】収容部とトレーパックとの当接部分の要部拡大断面図である。
【図５】この発明の他の実施形態を示す要部の拡大断面図である。
【図６】従来例のトレーパック運搬用包装容器の斜視図である。
【図７】
従来例のトレーパック運搬用包装容器の斜視図である。
【図８】従来例のトレーパック運搬用包装容器の断面図である。
【図９】上記従来のトレーパック運搬用包装容器の拡大断面図である。
【符号の説明】
１      トレーパック運搬用包装容器
１０    棚板
１１    収容部
１２，１６  リブ状凸部
２０    蓋体
２０’  底板（蓋体兼用）
３０    帯状部材としてのバンド
Ｔ      トレーパック
ｔ      周縁リブ
ｒ      外側周壁
【図１】
2004250060.tif 000003
【図２】
2004250060.tif 000004
【図３】
2004250060.tif 000005
【図４】
2004250060.tif 000006
【図５】
2004250060.tif 000007
【図６】
2004250060.tif 000008
【図７】
2004250060.tif 000009
【図８】
2004250060.tif 000010
【図９】
2004250060.tif 000011